(57)【要約】【課題】  同一人物の被検眼に対して、自動合焦を繰り返して行う際、自動合焦処理の高速化とＡＥの精度維持とを両立する。【解決手段】  眼科検査方法において、被検眼を照明する光量を第一光量とした状態で被検眼に指標を投影して得られた指標像に基づいて合焦手段を駆動させる第一制御工程と、光量を第一光量よりも大きい第二光量とした状態で得られた指標像に基づいて合焦手段を駆動させる第二制御工程と、第一制御工程および前記第二制御工程の間に被検眼の前記固有情報を記憶する記憶工程と、を配し、固有情報を記憶させた後に再度固有情報を記憶させる場合、合焦手段を記憶工程において記憶された位置に駆動させた後、第二制御工程を行うこととする。【選択図】  図２
2014094115.tif 000002
【特許請求の範囲】
【請求項１】
被検眼の固有情報を記憶する記憶手段と、
前記被検眼を照明する照明手段と、
前記被検眼に指標を投影する投影手段と、
前記被検眼からの戻り光に基づいて指標像を得る指標像取得手段と、
前記指標像に基づいて合焦手段を駆動する駆動手段と、
前記照明手段によって、前記被検眼を照明する光量を制御する光量制御手段と、
前記光量制御手段に前記光量を第一光量にさせるとともに、前記光量を前記第一光量とした状態で得られた前記指標像に基づいて前記駆動手段に前記合焦手段を駆動させる第一制御と、前記光量制御手段に前記光量を前記第一光量よりも大きい第二光量にさせるとともに、前記光量を前記第二光量とした状態で得られた前記指標像に基づいて前記駆動手段に前記合焦手段を駆動させる第二制御とを行う合焦制御手段と、
前記第一制御および前記第二制御の間に前記記憶手段に前記固有情報を記憶させる記憶制御手段と、を有し、
前記合焦制御手段は、前記記憶制御手段が前記記憶手段に前記固有情報を記憶させた後に再度前記固有情報を記憶させる場合、前記合焦手段を前記記憶手段に記憶された位置に駆動させた後、前記第二制御を行うことを特徴とする眼科装置。
【請求項２】
前記被検眼の識別情報を入力する入力手段と、前記入力された識別情報に関連付けられた前記固有情報を検索する検索手段と、を更に備え、
前記記憶手段は前記被検眼の前記識別情報に関連付けて前記固有情報を記憶しており、
前記駆動手段は検索された前記固有情報に基づく位置に前記合焦手段を駆動させることを特徴とする請求項１に記載の眼科装置。
【請求項３】
前記固有情報は前記第一制御の間、もしくは前記第二制御の間、もしくは前記検索手段により該当項目があった場合に前記記憶手段に記憶させた時の合焦レンズの位置である請求項２に記載の眼科装置。
【請求項４】
被検眼を照明する光量を第一光量にさせるとともに、前記光量を前記第一光量とした状態で前記被検眼に指標を投影して得られた指標像に基づいて合焦手段を駆動させる第一制御工程と、
前記光量を前記第一光量よりも大きい第二光量にさせるとともに、前記光量を前記第二光量とした状態で得られた前記指標像に基づいて前記合焦手段を駆動させる第二制御工程と、
前記第一制御工程および前記第二制御工程の間に前記被検眼の前記固有情報を記憶する記憶工程と、を有し、
前記記憶工程において前記固有情報を記憶させた後に再度前記固有情報を記憶させる場合、前記合焦手段を前記記憶工程において記憶された位置に駆動させた後、前記第二制御工程を行うことを特徴とする眼科検査方法。
【請求項５】
前記被検眼の識別情報を入力する入力工程と、前記入力された識別情報に関連付けられた前記固有情報を検索する検索工程と、を更に備え、
前記記憶工程においては前記被検眼の前記識別情報に関連付けて前記固有情報を記憶しており、
前記合焦手段は検索された前記固有情報に基づく位置に駆動されることを特徴とする請求項４に記載の眼科検査方法。
【請求項６】
前記固有情報は前記第一制御工程の間、もしくは前記第二制御工程の間、もしくは前記検索工程により該当項目があった場合に前記記憶工程にて記憶させた時の合焦レンズの位置である請求項５に記載の眼科検査方法。
【請求項７】
請求項４乃至６のいずれか１項に記載の眼科検査方法の各工程をコンピュータに実行させることを特徴とするプログラム。
【発明の詳細な説明】
【技術分野】
【０００１】
本発明は、眼科装置及び眼科検査方法に関するものである。
【背景技術】
【０００２】
眼底カメラを使った眼底撮影においては、良好な眼底像を撮影するために、撮影前に眼底カメラと被検眼との位置関係を適切に合わせるアライメント調整と、眼底への合焦調整を行う。
【０００３】
合焦調整として、被検眼の前眼部の観察を行うモードと、被検眼の眼底の観察及び撮影のうち少なくとも何れか一方を行うモードにおいて、切り替えられたモードに対応して所定の位置に合焦レンズを制御する方法が提案されている。（特許文献１参照）
また、検者が手動で行っていた合焦調整を、被検眼眼底に投影した合焦指標を利用して、自動で行う自動合焦機能が提案されている。（特許文献２参照）
【先行技術文献】
【特許文献】
【０００４】
【特許文献１】特開２０１２−５０５８２号公報
【特許文献２】特開２００９−１７２１５７号公報
【発明の概要】
【発明が解決しようとする課題】
【０００５】
従来の合焦指標を利用した自動合焦機能は、被検眼の固有情報、例えば、眼底検査情報履歴から被検眼の合焦位置等、を用いずに自動合焦処理を行っていた。これにより、自動合焦処理に時間がかかるという課題があった。
【０００６】
また、被検眼の眼底を照明する照明光を減光せずに眼底観察像を取り込み、その画像を用いて自動合焦制御を行っていた。これにより、照明光の対物レンズ反射や、被検眼の眼底からの乱反射等の有害光も同時に取り込んでしまう可能性があるため、誤検知のおそれがあった。しかし、照明光の減光は、誤検知を小さくし、また、合焦位置から離れている場合、合焦指標がボケていて暗くても、検出の可能性は上がるが、眼底反射光を用いて撮影光量を決定するために用いる測光値（ＡＥ、ＡｕｔｏＥｘｐｏｓｕｒｅ）の精度は落ちるという、トレードオフが生じてしまう。
【０００７】
本発明は、上記問題に着目してなされたもので、同一人物の被検眼に対して、自動合焦を行う際の、自動合焦処理の高速化とＡＥ精度の維持との両立を可能とする眼科装置及び眼科検査方法の提供を目的とする。
【課題を解決するための手段】
【０００８】
上記目的を達成するために、本発明に係る眼科装置は、被検眼の固有情報を記憶する記憶手段と、
前記被検眼を照明する照明手段と、
前記被検眼に指標を投影する投影手段と、
前記被検眼からの戻り光に基づいて指標像を得る指標像取得手段と、
前記指標像に基づいて合焦手段を駆動する駆動手段と、
前記照明手段によって、前記被検眼を照明する光量を制御する光量制御手段と、
前記光量制御手段に前記光量を第一光量にさせるとともに、前記光量を前記第一光量とした状態で得られた前記指標像に基づいて前記駆動手段に前記合焦手段を駆動させる第一制御と、前記光量制御手段に前記光量を前記第一光量よりも大きい第二光量にさせるとともに、前記光量を前記第二光量とした状態で得られた前記指標像に基づいて前記駆動手段に前記合焦手段を駆動させる第二制御とを行う合焦制御手段と、
前記第一制御および前記第二制御の間に前記記憶手段に前記固有情報を記憶させる記憶制御手段と、を有し、
前記合焦制御手段は、前記記憶制御手段が前記記憶手段に前記固有情報を記憶させた後に再度前記固有情報を記憶させる場合、前記合焦手段を前記記憶手段に記憶された位置に駆動させた後、前記第二制御を行うことを特徴とする。
【０００９】
また、上記目的を達成するために、本発明に係る眼科検査方法は、被検眼を照明する光量を第一光量にさせるとともに、前記光量を前記第一光量とした状態で前記被検眼に指標を投影して得られた指標像に基づいて合焦手段を駆動させる第一制御工程と、
前記光量を前記第一光量よりも大きい第二光量にさせるとともに、前記光量を前記第二光量とした状態で得られた前記指標像に基づいて前記合焦手段を駆動させる第二制御工程と、
前記第一制御工程および前記第二制御工程の間に前記被検眼の前記固有情報を記憶する記憶工程と、を有し、
前記記憶工程において前記固有情報を記憶させた後に再度前記固有情報を記憶させる場合、前記合焦手段を前記記憶工程において記憶された位置に駆動させた後、前記第二制御工程を行うことを特徴とする。
【発明の効果】
【００１０】
本発明によれば、被検眼の固有情報を用いて合焦制御を行うことで、自動合焦処理の高速化とＡＥの精度維持との両立が可能となる。
【図面の簡単な説明】
【００１１】
【図１】本発明の一実施形態に係る眼底カメラの構成図である。
【図２】本発明の一実施形態に係る眼底カメラの被検眼の固有情報を取得する際の動作を示した図である。
【図３】本発明の一実施形態に係る眼底カメラの記憶手段に固有情報が記憶されている場合、されていない場合の眼底検査動作を示した図である。
【図４】本発明の一実施形態に係る眼底カメラの同一被検者の同一眼を複数回撮影する際の、撮影フローを示した図である。
【図５】本発明の一実施形態に係る眼底カメラの同一被検者の眼底を撮影後、左右眼切替が行われた際の、撮影フローを示した図である。
【図６】本発明の一実施形態に係る眼底カメラの検索手段により被検眼の固有情報を検索した場合の、動作を示した図である。
【図７】本発明の一実施形態に係る眼底カメラのモニタに映出される合焦指標像の見え方と、合焦指標光束が被検眼眼底Ｅｒに達する様子との関係を示した模式図である。
【発明を実施するための形態】
【００１２】
本発明の一実施形態である眼科装置の例である眼底カメラの構成を図１に基づいて説明する。
【００１３】
［第一の実施形態］
図１に本発明を実施した眼科装置である眼底カメラの構成例を示す。
光軸Ｌ１上には、ハロゲンランプ等の定常光を発する観察用光源１、コンデンサレンズ２、赤外光を透過し可視光を遮断するフィルタ３、ストロボ等の撮影用光源４、レンズ５、ミラー６が配置され、ミラー６の反射方向の光軸Ｌ２上には、リング状開口を有するリング絞り７、リレーレンズ８、中央部開口を有する穴あきミラー９が順次に配列されている。
【００１４】
また、穴あきミラー９の反射方向の光軸Ｌ３上には、被検眼Ｅに対向して前眼部観察レンズ２３、対物レンズ１０が配置されており、穴あきミラー９の穴部には撮影絞り１１が配置されており、更にその後方に、光軸Ｌ３上の位置を移動することによりピントを調整する合焦レンズ１２、撮影レンズ１３が順次配列されている。さらに、穴あきミラー９上には、被検眼の角膜Ｅｐへアライメント指標を投影するためのＷＤ（ワーキングドット）光源２４がファイバー２５を介して接続されている。
【００１５】
撮影レンズ１３の先には、撮影カメラＣ内部の動画観察と静止画撮影を兼ねた撮像素子１４が順次に配列されている。また、撮像素子１４の出力は画像処理部１７に接続され、画像処理部１７の出力はシステム制御部１８に接続されており、画像処理部１７はモニタ１５に撮像素子１４に撮像される観察像を映出する。また、システム制御部１８内には被検者の固有情報を記憶する記憶手段２６がある。画像処理部１７及びシステム制御部１８は撮像制御部１６に接続されており、当該撮像制御部１６からの指示に応じて画像処理部１７における撮像操作等が実行される。
【００１６】
一方、光軸Ｌ２上のリング絞り７とリレーレンズ８の間には、合焦指標投影部２２が配置されている。なお、合焦指標投影部２２と合焦レンズ１２は、システム制御部１８からの制御に基づいて、それぞれ合焦レンズ駆動部１９および合焦指標駆動部２０により、光軸Ｌ２、光軸Ｌ３方向に連動して移動するようになっている。このシステム制御部１８は、手動合焦モード時には、操作入力部２１の操作入力に従って、合焦レンズ駆動部１９および合焦指標駆動部２０を制御する。このとき、合焦指標投影部２２と、撮像素子１４が光学的に共役関係になっている。他にも、システム制御部１８では、観察用光源１の光量調整、点灯・消灯などの制御と撮影用光源４の光量調整、点灯・消灯などの制御も行っている。
【００１７】
また、本実施例に係る眼底カメラには、眼底観察撮影モード、前眼部観察モードを備えている。さらに、撮影の種類として、カラー撮影と眼底の自発蛍光を利用したＦＡＦ撮影を備えている。
【００１８】
なお、上述した観察用光源１は本発明において被検眼を照明する照明手段を構成し、合焦指標投影部２２は被検眼に指標を投影する投影手段を構成し、撮像素子１４は被検眼からの戻り光に基づいて指標像を得る指標像取得手段を構成する。また、合焦レンズ駆動部１９は指標像に基づいて合焦手段たる合焦レンズ１２を駆動する駆動手段を構成し、観察用光源１及び撮影用光源４の光量調整等の制御を行うシステム制御部１８は照明手段による被検眼の照明光量を制御する光量制御手段を構成する。
【００１９】
次に、図２を用いて、被検眼の固有情報を取得する際の動作について説明する。
図２は、本発明の一実施形態に係る眼底カメラの被検眼の固有情報を取得する際の動作を示したフローチャートであって、図２（ａ）はメインのフローを、図２（ｂ）は第一制御のフローを、図２（ｃ）は第二制御のフローを各々示している。
【００２０】
検者はモニタ１５に映出された被検眼Ｅの前眼部を観察しながら被検眼Ｅの前眼部と眼底カメラとの位置合わせ、左右方向（Ｘ方向）・上下方向（Ｙ方向）、前後方向（Ｚ方向）を行う（Ｓ２０１）。被検眼Ｅの前眼部と眼底カメラとの位置合わせが完了すれば（Ｓ２０２）、検者は前眼部観察レンズ２３を光軸Ｌ３上から退避させる操作を行う（Ｓ２０３）。以上の操作により、検者は被検眼眼底Ｅｒを観察可能になる。この際、眼底カメラは前眼部観察モードから眼底観察撮影モードになる。
【００２１】
第一制御（Ｓ２０４）では、システム制御部１８は観察用光源１を減光する（Ｓ２０８）。減光された状態で撮像素子１４に撮像される合焦指標投影部２２の合焦指標を取得し（Ｓ２０９）、システム制御部１８は合焦指標像の位置差を計算する（Ｓ２１０）。計算結果に基づいて、システム制御部１８は、それぞれ合焦レンズ駆動部１９および合焦指標駆動部２０を制御する（Ｓ２１１）。制御後、システム制御部１８は現在の合焦位置を記憶し（Ｓ２１２）、観察用光源１を所定光量に戻して（Ｓ２１３）、第一制御を終了する。
【００２２】
ここで、Ｓ２１０の処理、合焦指標像の位置差の計算について説明する。
被検眼の眼底にピントを容易に合わせるために、被検眼の瞳上で分割された合焦指標を被検眼眼底に投影する。その戻り光は光軸Ｌ３を経て、撮像素子１４に導かれる。モニタ１５には画像処理部１７を介して撮像素子１４の状態が映出されている。図７はモニタ１５に映出される合焦指標像の見え方と、合焦指標光束Ｌｂ、Ｌｃが被検眼眼底Ｅｒに達する様子との関係を示した模式図である。
【００２３】
図７（ａ）は被検眼Ｅの眼底Ｅｒと合焦指標投影部２２の合焦指標が光学的に共役な位置関係にある場合を示している。眼底Ｅｒと合焦指標が光学的に共役なので、２つに分離された合焦指標光束Ｌｂ、Ｌｃは眼底Ｅｒ上で、指標像Ｆｂ、Ｆｃとなり一列に並ぶ。
【００２４】
図７（ｂ）は被検眼Ｅが図７（ａ）よりも近視の場合を示している。このとき、眼底Ｅｒと合焦指標が光学的に共役ではないので、２つに分離された合焦指標光束Ｌｂ、Ｌｃは眼底Ｅｒ上で、合焦指標Ｆｂ、Ｆｃとなり、指標像Ｆｂが上方に、指標像Ｆｃが下方にずれる。
【００２５】
図７（ｃ）は被検眼Ｅが図７（ａ）よりも遠視の場合を示している。眼底Ｅｒと合焦指標が光学的に共役でないので、２つに分離された合焦指標光束Ｌｂ、Ｌｃは、眼底Ｅｒ上で合焦指標像Ｆｂ、Ｆｃとなり、指標像Ｆｂが下方に、指標像Ｆｃが上方にずれる。
【００２６】
指標像Ｆｂ、Ｆｃを一列に並ばせるため、つまり、眼底Ｅｒと合焦指標が光学的に共役とさせるために、指標像Ｆｂ、Ｆｃそれぞれの重心を求め、その差を計算する。
また、第一制御（Ｓ２０４）でシステム制御部１８が観察用光源１を減光する理由を説明する。
【００２７】
第一制御（Ｓ２０４）が行われるタイミングは前眼部観察レンズ２３を光軸Ｌ３上から退避させる操作を行った（Ｓ２０３）後である。これは、前眼部観察モードから眼底観察撮影モードに切り替えたタイミングであるため、検者にとって、見た目の違和感を感じにくくなる。また、第一制御（Ｓ２０４）後にモニタ１５に映出される画像はピントが合った画像となるため、検者にとっては、円滑に眼底観察撮影モードに移行することが可能となる。
【００２８】
さらに、合焦指標の位置差が大きく、ボケて輝度値が低くなった合焦指標でも、観察用光源１を減光しておくことで、合焦指標と観察光との輝度差を十分認識できるため、合焦指標の位置差検出に精度良く成功する確率が向上する、といったメリットがある。
【００２９】
続いて、検者は、モニタ１５に映出された被検眼Ｅを観察しながら、ファイバー２５を介して被検眼の角膜Ｅｐに投影される眼底アライメント指標を参照し、被検眼Ｅと眼底カメラとの位置合わせを再度行う（Ｓ２０５）。
【００３０】
第二制御（Ｓ２０７）では、撮像素子１４に撮像される合焦指標投影部２２の合焦指標を取得し（Ｓ２１４）、システム制御部１８は指標像の位置差を計算する（Ｓ２１５）。計算結果に基づいて、システム制御部１８は、それぞれ合焦レンズ駆動部１９および合焦指標駆動部２０を制御する（Ｓ２１６）。制御後、システム制御部１８は現在の合焦位置を記憶し（Ｓ２１７）、第二制御を終了する。
【００３１】
なお、第一制御と第二制御の違いに眼底観察光減光の有無がある。第二制御は撮影の前に行うが、この際、測光値を参照し、撮影光量を決定するような眼科装置では、正しい測光値を得られない。以上の理由により、第二制御では眼底観察光を減光していない。
【００３２】
次に、図２と比較しつつ、図３を用いて、記憶手段に固有情報が記憶されている場合、されていない場合の眼底検査動作について説明する。
【００３３】
図３のＳ２０１〜Ｓ２０３は図２のＳ２０１〜Ｓ２０３、また図３のＳ２０５〜Ｓ２０７は図２のＳ２０５〜Ｓ２０７と同じことを示している。Ｓ３００４で記憶手段に被検眼の固有情報が記憶されている場合、記憶した合焦位置にシステム制御部１８は、それぞれ合焦レンズ駆動部１９および合焦指標駆動部２０を制御する（Ｓ３００５）。記憶されていない場合、第一制御を行う（Ｓ３００６）。
なお、記憶手段に固有情報を記憶させる処理は第一制御内、もしくは第二制御内にて行う方法と、図６を用いて後述する方法がある。
【００３４】
次に、再度、同一被検者の被検眼を撮影する場合の動作について説明する。
図４は同一被検者の同一眼を複数回撮影する場合の、撮影フローを示した図である。例えば、１回目はカラー撮影、２回目は被検眼眼底の自発蛍光を利用したＦＡＦ撮影である。
【００３５】
検者は図示しない撮影選択スイッチを押下して、カラー撮影モードを選択する（Ｓ４０１）。検者はモニタ１５に映出された被検眼Ｅの前眼部を観察しながら被検眼Ｅの前眼部と眼底カメラとの位置合わせ、左右方向（Ｘ方向）・上下方向（Ｙ方向）、前後方向（Ｚ方向）を行う（Ｓ４０２）。被検眼Ｅの前眼部と眼底カメラとの位置合わせが完了すれば（Ｓ４０３）、検者は前眼部観察レンズ２３を光軸Ｌ３上から退避させる操作を行う（Ｓ４０４）。
【００３６】
Ｓ４０５で、記憶手段２６に被検眼の固有情報が記憶されている場合、記憶した合焦位置にシステム制御部１８は、それぞれ合焦レンズ駆動部１９および合焦指標駆動部２０を制御する（Ｓ４０６）。記憶されていない場合、第一制御を行う（Ｓ４０７）。
【００３７】
検者は、モニタ１５に映出された被検眼Ｅを観察しながら、ファイバー２５を介して被検眼の角膜Ｅｐに投影される眼底アライメント指標を参照し、被検眼Ｅと眼底カメラとの位置合わせを行う（Ｓ４０８）。第二制御（Ｓ４１０）では、撮像素子１４に撮像される合焦指標投影部２２の合焦指標を取得し（Ｓ２１４）、システム制御部１８は指標像の位置差を計算する（Ｓ２１５）。計算結果に基づいて、システム制御部１８は、それぞれ合焦レンズ駆動部１９および合焦指標駆動部２０を制御する（Ｓ２１６）。制御後、システム制御部１８は現在の合焦位置を記憶し（Ｓ２１７）、第二制御を終了する。第二制御後、撮影を行う。（Ｓ４１１）。撮影後、本眼底カメラは前眼部観察モードに戻る（Ｓ４１２）。その際、合焦レンズ１２を０Ｄｉｏｐｔｅｒの位置に駆動させる。
【００３８】
続いて、検者は図示しない撮影選択スイッチを押下して、ＦＡＦ撮影モードを選択する（Ｓ４１３）。検者はモニタ１５に映出された被検眼Ｅの前眼部を観察しながら被検眼Ｅの前眼部と眼底カメラとの位置合わせ、左右方向（Ｘ方向）・上下方向（Ｙ方向）、前後方向（Ｚ方向）を行う（Ｓ４１４）。被検眼Ｅの前眼部と眼底カメラとの位置合わせが完了すれば（Ｓ４１５）、検者は前眼部観察レンズ２３を光軸Ｌ３上から退避させる操作を行う（Ｓ４１６）。Ｓ４１７では、Ｓ４１０の第二制御内で記憶した合焦位置に駆動する。検者は、モニタ１５に映出された被検眼Ｅを観察しながら、ファイバー２５を介して被検眼の角膜Ｅｐに投影される眼底アライメント指標を参照し、被検眼Ｅと眼底カメラとの位置合わせを行う（Ｓ４１８）。第二制御（Ｓ４２０）では、撮像素子１４に撮像される合焦指標投影部２２の合焦指標を取得し（Ｓ２１４）、システム制御部１８は指標像の位置差を計算する（Ｓ２１５）。計算結果に基づいて、システム制御部１８は、それぞれ合焦レンズ駆動部１９および合焦指標駆動部２０を制御する（Ｓ２１６）。制御後、システム制御部１８は現在の合焦位置を記憶し（Ｓ２１７）、第二制御を終了する。第二制御後、撮影を行い（Ｓ４２１）、本撮影フローを終了する。
【００３９】
即ち、システム制御部１８は、本発明における合焦制御手段として機能し、光量制御手段として機能するモジュール領域により光量を第一光量にさせる。また、該光量を第一光量とした状態で得られた指標像に基づいて合焦レンズ駆動部１９に合焦レンズ１２を駆動させる第一制御と、照明光量を該第一光量よりも大きい第二光量にさせるとともに第二光量とした状態で得られた指標像に基づいて合焦レンズ１２を駆動させる第二制御とを行う。更に、該システム制御部１８は、これら第一制御及び第二制御の間において記憶手段２６に固有情報を記憶させる記憶制御手段として機能するモジュール領域も有する。システム制御部１８は、更に記憶制御手段として記憶手段２６に固有情報を記憶させた後に再度前記固有情報を記憶させる場合、合焦レンズ１２を記憶手段２６に記憶された位置に駆動させた後、第二制御を行うこととなる。
【００４０】
なお、Ｓ４１１の撮影後、前眼部観察モードに戻らず、そのまま眼底観察撮影モードの状態の場合も考えられる。その際は、撮影フローをＳ４１８から始め、Ｓ４１６の第二制御内で被検眼の固有情報を更新すればよい。
【００４１】
図５は同一被検者の眼底を撮影後、左右眼切替が行われた場合の、撮影フローを示した図である。
【００４２】
Ｓ５０１〜Ｓ５１０までは、先に図４のＳ４０２〜Ｓ４１１を用いて説明した通りである。先に撮影した眼とは反対の眼を撮影するために、検者により左右眼切替の動作が行われた後（Ｓ５１２）、検者はモニタ１５に映出された被検眼Ｅの前眼部を観察しながら被検眼Ｅの前眼部と眼底カメラとの位置合わせ、左右方向（Ｘ方向）・上下方向（Ｙ方向）、前後方向（Ｚ方向）を行う（Ｓ５１３）。被検眼Ｅの前眼部と眼底カメラとの位置合わせが完了すれば（Ｓ５１４）、検者は前眼部観察レンズ２３を光軸Ｌ３上から退避させる操作を行う（Ｓ５１５）。Ｓ５１５の処理直後、本眼底カメラは被検眼の固有情報を記憶した合焦位置に合焦レンズ１２および合焦指標投影部２２を駆動させる（Ｓ５１６）。検者は、モニタ１５に映出された被検眼Ｅを観察しながら、ファイバー２５を介して被検眼の角膜Ｅｐに投影される眼底アライメント指標を参照し、被検眼Ｅと眼底カメラとの位置合わせを行う（Ｓ５１７）。第二制御（Ｓ５１９）では、撮像素子１４に撮像される合焦指標投影部２２の合焦指標を取得し（Ｓ２１４）、システム制御部１８は指標像の位置差を計算する（Ｓ２１５）。計算結果に基づいて、システム制御部１８は、それぞれ合焦レンズ駆動部１９および合焦指標駆動部２０を制御する（Ｓ２１６）。制御後、システム制御部１８は現在の合焦位置を記憶し（Ｓ２１７）、第二制御を終了する。第二制御後、撮影を行い（Ｓ５２０）、本撮影フローを終了する。
【００４３】
図６は、検索手段により被検眼の固有情報を検索した場合の、動作を示した図である。
【００４４】
図示しないキーボードやマウス等の入力手段によって被検者の識別情報を入力する（Ｓ６０１）し、被検眼固有情報を検索する（Ｓ６０２）。検索した結果（Ｓ６０３）、該当項目があれば、記憶手段２６に被検眼の固有情報を記憶させておく（Ｓ６０４）。該当項目がなければ、記憶手段２６に記憶されている被検眼の固有情報をクリアさせる（Ｓ６０５）。
【００４５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４６】
Ｅ    被検眼
Ｅｒ  被検眼眼底
Ｅｐ  被検眼角膜
１  観察用光源
２  コンデンサレンズ
３  フィルタ
４  撮影用光源
５  レンズ
６  ミラー
７  リング絞り
８  リレーレンズ
９  穴あきミラー
１０  対物レンズ
１１  撮影絞り
１２  合焦レンズ
１３  撮影レンズ
１４  撮像素子
１５  モニタ
１６  撮像制御部
１７  画像処理部
１８  システム制御部
１９  合焦レンズ駆動部
２０  合焦指標駆動部
２１  操作入力部
２２  合焦指標投影部
２３  前眼部観察レンズ
２４  ＷＤ光源（ワーキングドット）
２５  ファイバー
２６  記憶手段
【図１】
2014094115.tif 000003
【図２】
2014094115.tif 000004
【図３】
2014094115.tif 000005
【図４】
2014094115.tif 000006
【図５】
2014094115.tif 000007
【図６】
2014094115.tif 000008
【図７】
2014094115.tif 000009